(57)【要約】【課題】ユーザが自在に且つ簡単に丈調整することができ、しかも違和感のない自然な感じを与えるをことのできるカーテンを提供する。【解決手段】カーテン1は、カーテンポールPに吊り下げられる上部カーテン2と、上部カーテン2に係止されるカーテン本体4とで構成されている。上部カーテン2は、一枚の布片を上下に２つ折りすることにより形成された、室内側の第１カーテン片20と、室外側の第２カーテン片21とを有し、第１、第２のカーテン片20,21の間にカーテン本体4の上部が配置される。第２のカーテン片21には、室内側の面に縦方向に延びる複数の第１面ファスナテープ26が縫い込まれている。他方、カーテン本体4には、その室外側の面の上端部に横方向に延びる第２の面ファスナテープ40が縫い込まれている。【選択図】図3
0003162333.tif 000002
【実用新案登録請求の範囲】
【請求項１】
カーテンレールフック又はカーテンポールに吊り下げられる上部カーテンと、
該上部カーテンに係止されるカーテン本体とを有し、
前記上部カーテンは、室内側の第１のカーテン片と、室外側の第２のカーテン片とで構成され、
前記上部カーテンには、前記第２のカーテン片の室内側の面に、縦方向に延びる第１係合部材が設けられ、
前記カーテン本体には、その室外側の面の上端部に第２係合部材が設けられ、
前記第１、第２の係合部材の係止によって、前記第２のカーテン片の任意の高さ位置に前記カーテン本体を固定することができることを特徴とするカーテン。
【請求項２】
前記上部カーテンは、一枚の材料を上下に折り返して縫い合わせることで前記第１、第２のカーテン片が作られている、請求項１に記載のカーテン。
【請求項３】
前記室内側の第１のカーテン片の丈寸法が、前記室外側の第２のカーテン片の丈寸法よりも小さい、請求項１又は２に記載のカーテン。
【請求項４】
前記第１、第２の係合部材が、フックとループとの組み合わせからなる面ファスナテープで構成されている、請求項１〜３のいずれか一項に記載のカーテン。
【請求項５】
前記第１係合部材を構成する第１の面ファスナテープが前記第２カーテン片に縦方向に延びており、
該第１面ファスナテープが前記第２カーテン片の幅方向に互いに離間して複本設けられている、請求項４に記載のカーテン。
【請求項６】
前記カーテン本体の第２係合部材を構成する第２の面ファスナテープが前記カーテン本体の幅方向一側から他側に亘って連続して延びている、請求項５に記載のカーテン。
【請求項７】
前記上部カーテンと前記カーテン本体が同じ素材で作られ、
前記カーテンがドレープカーテンである、請求項６に記載のカーテン。
【考案の詳細な説明】
【技術分野】
【０００１】
この考案は、窓や出入り口の遮光や調光あるいは仕切りに用いられるカーテンに関する。より詳しくは、丈寸法を自在に調整することのできるカーテンに関する。
【背景技術】
【０００２】
カーテンは、販売の方法として、オーダーメイドカーテンと既製カーテンとに大別される。オーダーメイドカーテンは、カーテンを設置する場所の寸法を実測し、この計測データに基づいて縫製することから比較的高価であり、また、受注した後に製作に取りかかる関係で、完成するまでの間、お客さんを待たせてしまうという問題がある。
【０００３】
他方、既製カーテンは規格化した寸法に基づいて縫製されることから、需要を見越した大量生産によって比較的安価に提供することができ、お客さんは気に入ったカーテンがあれば、これを直ぐに入手できるという利点がある。しかし、既製カーテンの問題として、購入したカーテンをお客さんが持ち帰って設置したときに寸法が合わないことが少なからずある。
【０００４】
カーテンは、遮光、遮音、保温などの機能の他に、窓や出入り口周りの装飾として最もポピュラーな装飾品であることから、ユーザにとって寸法の違いは看過できない問題である。特に、丈寸法は誤魔化しようがないため丈寸法の不適合の問題を解消するための提案が数多くなされている。
【０００５】
カーテンの丈寸法を調整する方法として、一つはアジャスタ機能を備えたカーテン吊り下げ具を用意する方法が提案されている（特許文献１、２）。他の方法として、カーテンそれ自体に工夫を施して丈寸法を調整する方法が提案されている（例えば特許文献３〜８）。ここに引用した特許文献１〜８の提案のうち代表的なものを以下に説明する。
【０００６】
特許文献３が提案するカーテンは、カーテンレールフックに係止される一枚の布片からなる前飾りカーテンと、この前飾りカーテンに係止されるカーテン本体と、前飾りカーテンにカーテン本体を係止するための第２のフックとで構成されている。前飾りカーテンの裏面（室外側の面）には、上下に離間して縦方向に配列された複数の糸目が設けられ、任意の糸目に第２のフックを介してカーテン本体を吊すことによりカーテン本体の実質的な丈寸法を調整することができる。
【０００７】
特許文献４が提案するカーテンは、カーテン本体と、カーテン本体と同じ布地のカーテン片（長さ調整片）とで構成されている。そして、カーテン本体の裏面（室外側の面）には、その下端部に縦方向に延びるループ側の面ファスナが設けられ、他方、カーテン片の表面には、その上端部にフック側の面ファスナが設けられており、これらループ側、フック側の面ファスナ同士の係合を利用してカーテン本体の下端部にカーテン片を係止させることができる。そして、カーテン片の取付け高さ位置を調整することによりカーテンの丈寸法を調整することができる。
【０００８】
特許文献５が提案するカーテンは、パイル状の構成を有するカーテン本体と、このカーテン本体と同じ布地のカーテン片（長さ調整片）とで構成されている。そして、カーテン片にはその裏面の上端部に、横方向に延びるフック機能の面ファスナテープが縫い付けられている。この面ファスナテープのフック機能を使って、カーテン本体の下端部の任意の箇所にカーテン片の上端部を係止させることで、カーテンの丈寸法を調整することができる。
【０００９】
特許文献７のカーテンの丈調整方法は、カーテンの裾を折り返し、この折り返し部にテープを貼着して、この上をアイロンかけしてテープを溶着することで折り返し部を固定することを提案している。
【先行技術文献】
【特許文献】
【００１０】
【特許文献１】実用新案登録第3,045,568号公報
【特許文献２】特開２００３−２３０４８０号公報
【特許文献３】実用新案登録第3,142,647号公報
【特許文献４】実用新案登録第3,084,285号公報
【特許文献５】実用新案登録第3,086,450号公報
【特許文献６】実用新案登録第3,086,179号公報
【特許文献７】実開平７−１６６８０号公報
【特許文献８】特開２００８−１０００３１号公報
【考案の概要】
【考案が解決しようとする課題】
【００１１】
カーテンは、上述したように単に遮光や遮音などの機能だけでなく、窓や出入り口周りの装飾品であることから、丈寸法を調整する機能付きであっても、できるだけオーダーメイドカーテンのように自然の感じであることが求められる。
【００１２】
本考案の目的は、ユーザが自在に且つ簡単に丈調整することができ、しかも違和感のない自然な感じを与えるをことのできるカーテンを提供することにある。
【課題を解決するための手段】
【００１３】
上記の技術的課題は、本考案によれば、
カーテンレールフック又はカーテンポール(P)に吊り下げられる上部カーテン(2)と、
該上部カーテン(2)に係止されるカーテン本体(4)とを有し、
前記上部カーテン(2)は、室内側の第１のカーテン片(20)と、室外側の第２のカーテン片(21)とで構成され、
前記上部カーテン(2)には、前記第２のカーテン片(21)の室内側の面に、縦方向に延びる第１係合部材(26)が設けられ、
前記カーテン本体(4)には、その室外側の面の上端部に第２係合部材(40)が設けられ、
前記第１、第２の係合部材(26,40)の係脱自在な意係止によって、前記第２のカーテン片(21)の任意の高さ位置に前記カーテン本体(4)を固定することができることを特徴とするカーテン(1)を提供することにより達成される。
【００１４】
本考案のカーテン(1)によれば、係脱自在な第１、第２の係合部材の係合を使って、カーテン本体(4)の取付高さ位置を自在に且つ容易に調整することができる。また、上部カーテン(2)の室内側及び室外側の第１、第２のカーテン片(20,21)の間にカーテン本体(4)の上部が配置されて、これら室内側及び室外側のカーテン片(20,21)によって覆い隠される。また、室外側の第２のカーテン片(21)にカーテン本体(4)を係止させることから、室内側の第１のカーテン片(20)は単にカーテンポール(P)又はカーテンレールフックに吊り下がっているだけであることから、室内側から見たときに違和感無しに自然の感じを与えることができる。
【図面の簡単な説明】
【００１５】
【図１】実施例の２ピースカーテンがカーテンレール又はカーテンポールに吊り下げられる上部カーテンと、この上部カーテンに係止されるカーテン本体とで構成されていることを説明するための図であり、室内側から見た図である。
【図２】上部カーテンを室外側から見た図である。
【図３】実施例の２ピースカーテンの上部カーテンをカーテンポールに吊り下げた状態で、出入り口等の高さ寸法に適合するようにカーテン本体の高さ位置を見計らって、このカーテン本体を上部カーテンの室外側の第２カーテン片に固定する過程を説明するための図である。
【図４】実施例のカーテンの丈を比較的長く設定したときの状態を説明するための断面図であり、上部カーテンとカーテン本体の上部を抽出した図である。
【図５】図４に対応した図であり、カーテンを室内側から見た図である。
【図６】実施例のカーテンの丈を比較的短く設定したときの状態を説明するための断面図であり、上部カーテンとカーテン本体の上部を抽出した図である。
【図７】図６に対応した図であり、カーテンを室内側から見た図である。
【考案を実施するための形態】
【実施例】
【００１６】
以下に、添付の図面に基づいて本考案の好ましい実施例を説明する。
【００１７】
実施例のカーテン１は厚手のカーテンであるドレープカーテンである。カーテン１は、図１を参照して、カーテンポールＰに吊り下げられる上部カーテン２と、この上部カーテン２に係止されるカーテン本体４とで構成された２ピースカーテンである。カーテン本体４は、好ましくは上部カーテン２と同じ素材で作られるのがよいが、カーテン本体４と上部カーテン２とが異なる素材であってもよい。
【００１８】
上部カーテン２は、一枚の布片を上下に２つ折りし、その上端縁部を横方向に一直線に縫うことをにより、室内側の第１のカーテン片２０と、室外側の第２のカーテン片２１と、上端縁に沿って連続して延びるポール通し孔２２とが形成されている。第１、第２のカーテン片２０、２１の間にカーテン本体４の上部が位置決めされる。なお、図１などに見られる参照符号６は縫い目を示す。
【００１９】
変形例として、２枚の布地を縫い合わせることで、第１、第２のカーテン片２０、２１を備えた上部カーテン２を作るようにしてもよく、この第１、第２のカーテン片２０、２１を異なる素材で作ってもよい。
【００２０】
上部カーテン２を室外側から見た図２を参照して、上部カーテン２の室外側カーテン片２１の上端縁部には、ポール通しリング２５が複数設けられ、このポール通しリング２５は、上部カーテン２の幅方向に互いに離間して設けられている。ポール通しリング２５は、上部カーテン２の布地と同じ材料で作られているが、別の素材で作られていてもよい。
【００２１】
上部カーテン２は、室内側の第１カーテン片２０の丈よりも室外側の第２カーテン片２１の丈の方が若干長いのが好ましいが、その逆に、室内側の第１カーテン片２０の丈の方を室外側２１よりも若干長く設定してもよく、また、第１、第２のカーテン片２０、２１が同じ丈寸法であってもよい。
【００２２】
室外側の第２のカーテン片２１には、図１から良く分かるように、その裏面つまり第１のカーテン片２０と対向する室内側の面に、第１の面ファスナテープ２６が縦方向に連続して延びるように縫い付けられており、この第１の面ファスナテープ２６は、室外側の第２のカーテン片２１の幅方向に離間して複数本（この実施例では４本）設けられている。第１の面ファスナテープ２６は、好ましくは、室外側カーテン片２１の丈寸法と実質的に同じ長さ寸法を有している。
【００２３】
上部カーテン２は、その上端縁部のポール通し孔２２又はポール通しリング２５にカーテンポールＰ（図１）を通すことによって、このカーテンポールＰに吊り下げられる。勿論、上部カーテン２をカーテンレールフックに吊り下げるようにしてもよい。
【００２４】
カーテン本体４には、その裏面つまり室外側の面に、カーテン本体４の上端縁に沿って第２の面ファスナテープ４０が縫い付けられている。第２の面ファスナテープ４０は、この実施例では、カーテン本体４の幅方向一側から他側に亘って連続的に延びているが、上述した上部カーテン２の第１の面ファスナテープ２６と対応する位置に限定して、カーテン本体４側の第２の面ファスナテープ４０を部分的に縫い付けるようにしてもよい。
【００２５】
上部カーテン２側の第１の面ファスナテープ２６と、カーテン本体４側の第２の面ファスナテープ４０とは互いに係脱自在に係合することで固定する、例えば従来から既知のフックとループとの組み合わせのファスナテープで構成される。
【００２６】
この実施例では、上部カーテン２とカーテン本体４との係合部材として面ファスナを使った例を典型例として開示してあるが、面ファスナに代えて雄雌のボタンを使って上部カーテン２とカーテン本体４とを係止させるようにしてもよい。例えば、上部カーテン２の室外側の第２カーテン片２１の丈寸法と実質的に同じ長さ寸法のテープに雌ボタンを互いに離間して複数配置し、他方、上部カーテン２の上端部に雄ボタンを単数又は複数配置するようにしてもよい。
【００２７】
実施例のカーテン１は、上部カーテン２とカーテン本体４との組で販売され、これを購入したユーザは、上部カーテン２をカーテンポールＰに吊した後に、カーテン本体４の高さ位置を見計らって、図３に示すように、このカーテン本体４側の第２の面ファスナテープ４０を、上部カーテン２側の第１の面ファスナテープ２６に係合させることで、カーテン本体４を上部カーテン２に位置固定することができる。また、この作業を行うことで、カーテン１の丈を出入り口等の高さ寸法に適合させることができる。
【００２８】
図４及び図５は、カーテン１の丈を長尺に調整した状態を説明するための図であり、図６及び図７はカーテン１の丈を短尺に調整した状態を説明するための図である。
【００２９】
実施例のカーテン１によれば、ユーザがカーテン１の丈寸法を手軽に調整することができる。また、室内側の第１のカーテン片２０よりも長尺の室外側の第２のカーテン片２１を用意し、このカーテン片２１の丈寸法と実質的に同じ長さ寸法の面ファスナテープ２６を室外側のカーテン片２１に縫い付けてあるため、カーテン１の丈寸法に関する調整代を大きくすることができる。また、上部カーテン２の室内側の第１カーテン片２０はカーテン本体４の上部を単に覆い隠しているだけであり、この第１カーテン片２０にはカーテン本体４が係止されていないことから、カーテンポールＰから自然に垂れ下がっているだけの第１カーテン片２０によって、室内側から見たときに、カーテン１は違和感無しに自然な感じをユーザに提供することができる。
【００３０】
また、上部カーテン２の第１、第２のカーテン片２０、２１の間にカーテン本体４の上部が挟み込まれているため、室外側から見ても違和感を与えることはない。
【符号の説明】
【００３１】
１    実施例のカーテン
２    上部カーテン
２０  室内側の第１のカーテン片（上部カーテン）
２１  室外側の第２のカーテン片（上部カーテン）
２２  ポール通し孔
２５  ポール通しリング
２６  上部カーテンの第１の面ファスナテープ（係合部材）
４    カーテン本体
４０  カーテン本体の第２の面ファスナテープ（係合部材）
【図１】
0003162333.tif 000003
【図２】
0003162333.tif 000004
【図３】
0003162333.tif 000005
【図４】
0003162333.tif 000006
【図５】
0003162333.tif 000007
【図６】
0003162333.tif 000008
【図７】
0003162333.tif 000009